(57)【要約】【課題】天井面や壁面に取り付けられるプロジェクターにおいて、画像の投射方向を容易に、大きく変更できるようにする。【解決手段】プロジェクター１００は、電源収容部１１０と投射部本体１２０とを備える。電源収容部１１０は、ダクト２００に支持され、ダクト２００から供給される電力を変換する電源回路を収容し、投射部本体１２０は、画像を投射する投射部を収容し、画像の投射方向を調整可能に電源収容部１１０に支持される。【選択図】図１
2015022147.tif 000002
【特許請求の範囲】
【請求項１】
電源供給体に支持され、前記電源供給体から供給される電力を変換する電源部を収容した電源収容部と、
画像を投射する投射部を収容し、前記画像の投射方向を調整可能に前記電源収容部に支持される投射部本体と、
を備えることを特徴とするプロジェクター。
【請求項２】
前記電源収容部は、長手形状の筐体と、前記筐体に立設されて樋形状の前記電源供給体に接続される接続部とを有し、前記筐体が前記電源供給体の長手方向に沿う状態で前記接続部が前記電源供給体に固定されること、を特徴とする請求項１記載のプロジェクター。
【請求項３】
前記電源収容部と前記投射部本体とに連結され、前記投射部本体を前記電源収容部に支持する支持部を有し、
前記支持部は前記電源収容部において前記接続部の直下で接続されること、を特徴とする請求項２記載のプロジェクター。
【請求項４】
前記電源収容部と前記投射部本体とに連結され、前記投射部本体を前記電源収容部に支持する支持部を有し、
前記支持部は、前記電源収容部及び前記投射部本体の少なくともいずれかから熱を伝達可能に連結されること、を特徴とする請求項１または２記載のプロジェクター。
【請求項５】
前記投射部は光源を備えることを特徴とする請求項１から４のいずれかに記載のプロジェクター。
【請求項６】
前記電源収容部には光源が収容され、前記光源が発した光を前記投射部本体に導く導光手段を備えること、を特徴とする請求項１から４のいずれかに記載のプロジェクター。
【発明の詳細な説明】
【技術分野】
【０００１】
本発明は、画像を投射するプロジェクターに関する。
【背景技術】
【０００２】
従来、画像を投写するプロジェクターを、部屋の天井や壁面等に固定することがあり、プロジェクターを吊り下げ設置するための装置が提案されている（例えば、特許文献１、２参照）。特許文献１の構成では、プロジェクターの天板が、ボルトによって天井に強固に固定される。また、特許文献２には、複数の照明器具を取り付け可能なトラック照明システムのトラックに、ＤＬＰ（Digital Light Processor）を支持させて、トラックを介して制御する旨が記載されている。
【先行技術文献】
【特許文献】
【０００３】
【特許文献１】特開２００２−３４４８４６号公報
【特許文献２】米国特許８３４４６５５号明細書
【発明の概要】
【発明が解決しようとする課題】
【０００４】
プロジェクターを天井等に固定する場合、プロジェクターの落下を防止することは勿論、プロジェクターの使用中に投射画像が傾いたり移動したりしないように、強固に固定する必要がある。このため、プロジェクターの位置や投射方向を変更可能な範囲は限られており、変更の操作は簡単ではなかった。例えば、特許文献１の装置は、ボルトとナットを用いた機構によりプロジェクターの取付角度の調整を可能としているが、取付角度の調整範囲が小さく、プロジェクターの取付位置を変更することはできなかった。
本発明は、上述した事情に鑑みてなされたものであり、天井面や壁面に取り付けられるプロジェクターにおいて、画像の投射方向を容易に、大きく変更できるようにすることを目的とする。
【課題を解決するための手段】
【０００５】
上記目的を達成するために、本発明は、電源供給体に支持され、前記電源供給体から供給される電力を変換する電源部を収容した電源収容部と、画像を投射する投射部を収容し、前記画像の投射方向を調整可能に前記電源収容部に支持される投射部本体と、を備えることを特徴とする。
この構成によれば、電源供給体に支持される電源収容部に電源部を収容する一方、投射部を、電源収容部に支持される投射部本体に収容している。この構成において投射方向を変更する場合には投射部本体を動かせばよく、この投射部本体は電源部が分離されているため軽量である。また、電源部を収容する電源収容部は重量物となるが、投射方向を変更する場合は電源収容部を動かす必要がない。このため、投射部本体を支持する機構の負荷が軽減されるので、耐荷重に関する制限が緩和され、投射部の角度等を大きく変更可能な構造とすることができる。さらに、電源収容部が電源供給体に支持されるので、電源供給体から電力を得るためのケーブル等を別途設ける必要がなく、構造を簡略化でき、強固に電源収容部を保持できる。従って、天井面等に強固に取り付けることが可能で、かつ、画像の投射方向を容易に、大きく調整可能なプロジェクターを提供できる。
【０００６】
また、本発明は、上記プロジェクターにおいて、前記電源収容部は、長手形状の筐体と、前記筐体に立設されて樋形状の前記電源供給体に接続される接続部とを有し、前記筐体が前記電源供給体の長手方向に沿う状態で前記接続部が前記電源供給体に固定されること、を特徴とする。
この構成によれば、いわゆる照明器具用ダクトや電源ダクトなどの樋形状の電源供給体に電源収容部を取り付けることができる。このため、電源供給体の長手方向においてプロジェクターの取付位置を容易に変更できる。また、電源収容部の筐体が電源供給体の長手方向に沿っているため、目立たないように取り付けることができる。
【０００７】
また、本発明は、上記プロジェクターにおいて、前記電源収容部と前記投射部本体とに連結され、前記投射部本体を前記電源収容部に支持する支持部を有し、前記支持部は前記電源収容部において前記接続部の直下で接続されること、を特徴とする。
この構成によれば、電源収容部の筐体を電源供給体に接続する接続部の直下で、支持部が電源収容部に連結される。このため、接続部に加わる荷重が、ほぼ垂直方向の荷重に限られるので、接続部に加わる負荷を軽減できる。これにより、接続部を簡易な構造とすることができ、プロジェクターの取付位置を容易に変更できる。
【０００８】
また、本発明は、上記プロジェクターにおいて、前記電源収容部と前記投射部本体とに連結され、前記投射部本体を前記電源収容部に支持する支持部を有し、前記支持部は、前記電源収容部及び前記投射部本体の少なくともいずれかから熱を伝達可能に連結されること、を特徴とする。
この構成によれば、電源収容部及び投射部本体において発生する熱を支持部に伝えて、支持部で放熱できるので、プロジェクターの放熱性能を高めることができる。このため、プロジェクターを安定して動作させることができ、冷却ファンの小型化や冷却ファンを省略することが可能になる。
【０００９】
また、本発明は、上記プロジェクターにおいて、前記投射部は光源を備えることを特徴とする。
この構成によれば、光源を投射部に備えることで電源収容部と投射部本体とを連結する構成を簡易化でき、例えば投射部本体の可動範囲を大きくすることができる。
【００１０】
また、本発明は、上記プロジェクターにおいて、前記電源収容部には光源が収容され、前記光源が発した光を前記投射部本体に導く導光手段を備えること、を特徴とする。
この構成によれば、光源を電源収容部に備えることにより、投射部本体をより一層軽量化することが可能となる。これにより、投射部本体を支持する機構の負荷がより軽減され、設計の自由度が高められるので、投射部の角度等を大きく変更可能な構造とすることができる。
【発明の効果】
【００１１】
本発明によれば、天井面等に強固に取り付けることが可能で、画像の投射方向を容易に調整可能なプロジェクターを提供できる。
【図面の簡単な説明】
【００１２】
【図１】実施形態に係るプロジェクターの斜視図である。
【図２】プロジェクターの構成を示す図であり、（Ａ）は正面図、（Ｂ）は側面図である。
【図３】投射部の構成を模式的に示す図である。
【図４】プロジェクターの機能ブロック図である。
【発明を実施するための形態】
【００１３】
図１及び図２は、本発明を適用した実施形態に係るプロジェクター１００の構成を示す図である。図１は斜視図、図２（Ａ）は正面図、図２（Ｂ）は側面図である。これら図１及び図２の各図には、プロジェクター１００が取り付けられるダクト２００を合わせて図示する。
【００１４】
プロジェクター１００は、後述するように光源を内蔵し、この光源が発した光を変調して画像光とし、壁面やスクリーンに画像を投射するプロジェクターである。
プロジェクター１００は、電源収容部１１０と、電源収容部１１０とは別体として構成される投射部本体１２０と、電源収容部１１０と投射部本体１２０とを連結する支持部材１３０（支持部）とを備える。電源収容部１１０は、細長い略箱形の筐体を有し、この筐体に、後述する電源回路２４（図４）を収容する。一方、投射部本体１２０は、略箱形の筐体を有し、この筐体に、後述する投射部１２５（図３）を収容する。
【００１５】
支持部材１３０は、電源収容部１１０の底面に、連結部１３１を介して連結されている。連結部１３１は、支持部材１３０の上端と電源収容部１１０の底面とを回動軸１３２を中心として回動可能に連結し、支持部材１３０を支持する。図中、連結部１３１の回動方向を矢印Ａで示し、回動中心に相当する軸線を一点鎖線Ａで示す。また、連結部１３１は、電源収容部１１０と支持部材１３０とを、任意の回動位置で固定できる。このため、電源収容部１１０に対して支持部材１３０を回動させ、投射部本体１２０が任意の方向を向いたところで固定できる。
【００１６】
連結部１３１は、例えば電源収容部１１０の筐体を構成するパネルや電源収容部１１０内部のフレームと、回動軸１３２と、回動軸１３２を中心とした回動を規制するように締め付け可能なボルト及びナットを用いて構成できる。また、ベアリングと、このベアリングによる回動を止めるピンと、ピンをスライドさせるスライド機構とを用いて連結部１３１を構成してもよい。さらに、連結部１３１は、リング形状の摺動部材とボルト及びナットとを組み合わせて、棒形状の回動軸１３２を用いない構成としてもよい。
【００１７】
支持部材１３０の下部は二股に分かれて２本の腕部１３３、１３３となって下方に延びる。腕部１３３、１３３の下端には、それぞれ、平板部１２１、１２１が形成されている。平板部１２１、１２１は、それぞれ、投射部本体１２０の両側面に接して、連結部１２２、１２２により投射部本体１２０に連結される。連結部１２２、１２２は、平板部１２１、１２１と投射部本体１２０の側面とを回動軸１２３を中心として回動可能に連結し、投射部本体１２０を支持する。図中、連結部１２２、１２２の回動方向を矢印Ｂで示し、回動中心に相当する軸線を一点鎖線Ｂで示す。また、連結部１２２、１２２は、平板部１２１、１２１と投射部本体１２０とを、任意の回動位置で固定できる。このため、支持部材１３０に対して投射部本体１２０を回動させ、投射部本体１２０が任意の方向を向いたところで固定できる。
【００１８】
連結部１２２、１２２は、例えば投射部本体１２０の筐体を構成するパネルや投射部本体１２０内部のフレームと、回動軸１２３と、回動軸１２３を中心とした回動を規制するように締め付け可能なボルト及びナットを用いて構成できる。また、ベアリングと、このベアリングによる回動を止めるピンと、ピンをスライドさせるスライド機構とを用いて連結部１２２、１２２を構成してもよい。さらに、連結部１２２、１２２は、リング形状の摺動部材とボルト及びナットとを組み合わせて、棒形状の回動軸１２３を用いない構成としてもよい。
【００１９】
従って、プロジェクター１００は、連結部１３１において軸線Ａを中心として回動し、かつ、連結部１２２、１２２において軸線Ｂを中心として回動する、２軸の回動機構により、投射部本体１２０を支持する。
【００２０】
プロジェクター１００は、天井や壁面に固定されたダクト２００に接続することができる。ダクト２００は、ライティングダクトと呼ばれる樋形状の電源供給体であり、例えばＪＩＳ  Ｃ８３６６規格の照明器具用ダクト、電源用ダクト、或いは電源共用ダクトに相当する。ダクト２００には、照明器具、電源供給用のアダプター等を取り付け可能である。図１には理解の便宜のため、ダクト２００の断面を図示するが、ダクト２００は末端が開口していなくてもよい。ダクト２００は、天井面または壁面に設置されて、図示しない商用電源に接続され、上記の照明器具やアダプターに電力を供給する。
【００２１】
ダクト２００は、長尺形状を有する中空の本体に、長手形状に沿って延びる開口２０１を有し、この開口２０１から差し込まれるコネクター等を支持する。ダクト２００が天井面に固定された場合、開口２０１は下向きに開口し、下方から照明器具等を取り付けて吊り下げることができる。また、ダクト２００は壁面に固定してもよく、この場合、開口２０１は水平方向を向いて開口し、横から照明器具等を取り付けて固定できる。
【００２２】
ダクト２００は、ダクト２００の本体の長手方向に沿って延設された一対の導体２０５、２０５を有する。導体２０５、２０５は棒状またはテープ状に成形された銅または他の金属からなり、商用電源に電気的に接続される。導体２０５、２０５は、例えば商用の１００Ｖ２極交流電源に接続され、一方の導体２０５が接地極となり、他方の導体２０５が非接地極となる。また、ダクト２００は、開口２０１より幅の広い部材を係止する溝２０６、２０６を有する。溝２０６、２０６は、ダクト２００の内部において、開口２０１の両側に配置され、この溝２０６、２０６に嵌合する物がダクト２００によって支持される。
【００２３】
電源収容部１１０は、筐体の上面に、ダクト２００に連結可能なコネクター１１５（接続部）を有している。コネクター１１５は筐体の上面から上向きに突出する略円柱形状の突起であり、コネクター１１５の側面には、一対の係止片１１６、１１６及び一対の接触導体１１７、１１７が立設されている。
各々の係止片１１６、１１６は平板状に成形され、コネクター１１５から互いに反対方向に突出する。また、接触導体１１７、１１７は、銅または他の金属を平板状に成形して構成され、各々の接触導体１１７、１１７はコネクター１１５から互いに反対方向に突出する。
図２（Ａ）及び（Ｂ）に示すように、係止片１１６と接触導体１１７は、コネクター１１５から同じ方向に突出している。すなわち、係止片１１６、１１６及び接触導体１１７、１１７は、電源収容部１１０の奥行き方向に突出していて、電源収容部１１０の筐体の長手方向に対し垂直である。
【００２４】
プロジェクター１００をダクト２００に取り付ける場合、コネクター１１５が開口２０１に差し込まれる。このとき、コネクター１１５は、係止片１１６、１１６及び接触導体１１７、１１７がダクト２００の長手方向に沿った向きで、開口２０１に差し入れられる。係止片１１６、１１６及び接触導体１１７、１１７がダクト２００の内部に入ってから、電源収容部１１０を、軸線Ａを中心として９０度回転させると、コネクター１１５がダクト２００に接続される。電源収容部１１０を回転させることにより、接触導体１１７、１１７がダクト２００の導体２０５、２０５に接触して導通し、導体２０５、２０５から接触導体１１７、１１７へ電力を供給可能となる。また、係止片１１６、１１６が溝２０６、２０６に填まり込むので、係止片１１６、１１６を介してコネクター１１５がダクト２００に固定される。この状態では、コネクター１１５はダクト２００の長手方向にも移動しない。
【００２５】
このように、コネクター１１５を設けたことで、電源収容部１１０を容易にダクト２００に取り付けることができる。この取付状態では、電源収容部１１０の筐体の長手方向と、ダクト２００の延長方向とが一致する（平行になる）。このため、電源収容部１１０がダクト２００と一体に見え、目立たないという利点がある。
【００２６】
プロジェクター１００をダクト２００に取り付けた状態では、プロジェクター１００の全体がコネクター１１５を介してダクト２００により支持される。電源収容部１１０においては、コネクター１１５の直下（真下）に、連結部１３１が配置されている。言い換えれば、連結部１３１の回動の中心軸線Ａ上に、コネクター１１５が立設されている。
このため、天井面に水平に設置されたダクト２００に、プロジェクター１００を吊り下げるように下方から取り付けた場合、プロジェクター１００の全重量が、コネクター１１５に対して鉛直方向の荷重として加わる。つまり、投射部本体１２０がどのような状態であっても、投射部本体１２０の重量は連結部１３１を介して電源収容部１１０に加わる。連結部１３１がコネクター１１５の直下に位置するため、投射部本体１２０及び支持部材１３０の重量は、電源収容部１１０の重量とともに、コネクター１１５に鉛直方向に作用する。従って、コネクター１１５に対して回転方向の力が加わらないので、係止片１１６、１１６及び接触導体１１７、１１７の一部に応力が集中する状態を回避できる。これにより、ダクト２００及びコネクター１１５の負荷を軽減し、確実にプロジェクター１００を固定できる。
【００２７】
投射部本体１２０の、図２（Ａ）に現れる正面（前面）に、投射口１２８が設けられている。投射口１２８は、投射部本体１２０が内蔵する投射部１２５（図４）が画像光を放射する開口であり、レンズ等が取り付けられている。
プロジェクター１００を、天井面に取り付けられたダクト２００に固定すると、連結部１３１において支持部材１３０を回動させることで、投射口１２８の方向すなわち投射方向を、軸線Ａを中心として任意の方向に変更及び調整できる。また、連結部１２２、１２２で投射部本体１２０を回動させることで、投射方向を、軸線Ｂを中心として任意の方向に変更できる。このように、プロジェクター１００は、２軸を中心として、投射方向を水平及び上下に変更できるようになっている。
【００２８】
接触導体１１７、１１７は、コネクター１１５の内部に埋設された導体（図示略）を介して、電源収容部１１０に収容された電源回路２４（図４）に接続されている。ダクト２００に電源収容部１１０を接続すると、電源回路２４（電源部）に交流１００Ｖの電力が供給され、プロジェクター１００が動作可能となる。
【００２９】
図３は、投射部本体１２０に収容される投射部１２５の構成を模式的に示す図である。
投射部１２５は、光源１、光変調装置３、照射光学系５、及び投射光学系６を備えている。また、光源１には、光源１を駆動する光源コントローラー２が接続され、光変調装置３には表示コントローラー４が接続されている。
【００３０】
光源１は、Ｒ（赤色光）に対応したＬＥＤと、Ｇ（緑色光）に対応したＬＥＤと、Ｂ（青色光）に対応したＬＥＤと、を備え、光源コントローラー２の制御に従って発光する。光源コントローラー２は光源１の各ＬＥＤを点灯させるパルスを出力し、光源１は入力パルスの周波数で点灯及び消灯を繰り返す。光源コントローラー２は、光源１に出力するパルスの周波数を変化させることにより各ＬＥＤの発光輝度を調整可能である。
光源１は、４つ以上の異なる要素色に対応したＬＥＤを含んでもよいし、２つの異なる要素色に対応したＬＥＤを含んでもよく、白色光を発する１つのＬＥＤを備えた構成であってもよい。また、光源１は、ＬＥＤに代えて、有機または無機の半導体レーザー、または有機ＥＬ（エレクトロルミネッセント）素子を備えていてもよいし、ＬＥＤまたはレーザーを励起光源とする蛍光体を含んでいてもよい。さらにまた、光源１は、高圧水銀ランプやキセノンランプを備えていてもよい。
【００３１】
照射光学系５は、光源１が発した光を集光して、平行光として光変調装置３に照射する。照射光学系５は、ダイクロイックプリズムにより、光源１が有する２つのＬＥＤ（１Ｒ、１Ｇ、１Ｂ）のそれぞれからの光（光ビーム）の光路を合成する。ダイクロイックプリズムを経た光は、フライアイレンズを含んだインテグレーターにより平行光に変換される。この平行光は偏光変換素子を通って光変調装置３に照射される。
【００３２】
光変調装置３は、単板の透過型液晶ライトバルブである。本実施形態の液晶ライトバルブは、一対の偏光板とその間に位置した液晶パネルとを含んでいる。表示コントローラー４は、光変調装置３の液晶パネルを駆動して画像を書き込む。光源１Ｒ、１Ｇ、１Ｂと光変調装置３とは、ＲＧＢシーケンシャル方式、すなわち色順次方式によって駆動される。そしてこのことによって、プロジェクター１００はフルカラーの画像を投写し得る。
そして、光変調装置３により変調された光（画像光）は投射口１２８を通じて、壁やスクリーン等の投射対象面に向けて投射される。
【００３３】
図４は、プロジェクター１００の機能ブロック図である。
プロジェクター１００は、電源収容部１１０に収容された電源回路２４と、投射部本体１２０に収容された制御系の各部とを備えている。
投射部本体１２０に収容された制御系は、制御部２３を備えている。制御部２３は、図示しないＣＰＵ、ＲＯＭ、ＲＡＭ、不揮発性メモリー、システム・コントローラー及びその他の周辺回路等を備えている。不揮発性メモリーには、オペレーティングソフトウェアや、アプリケーションソフトウェアが記憶され、ＲＯＭにはＢＩＯＳが記憶されている。制御部２３は、ＲＯＭに記憶されたＢＩＯＳ、不揮発性メモリーに記憶されたオペレーティングソフトウェア及びアプリケーションソフトウェアをＣＰＵにより実行し、制御を行う。
【００３４】
制御部２３には、バス２０を介して、無線ＬＡＮアダプター１２、ＳＳＤ（Ｓｏｌｉｄ  Ｓｔａｔｅ  Ｄｒｉｖｅ）１３及びメモリーカードＩ／Ｏ（Ｉｎｐｕｔ／Ｏｕｔｐｕｔ）回路１４が接続されている。
無線ＬＡＮアダプター１２は、制御部２３の制御に従って、無線ＬＡＮの通信規格（例えばＩＥＥＥ８０２．１１）に準拠した通信を実行する。プロジェクター１００は、無線ＬＡＮアダプター１２により図示しない外部の機器との間で無線通信を実行し、外部の機器から画像データを取得する。外部の機器としては、サーバーコンピューター、パーソナルコンピューター、タブレットコンピューター、スマートフォン、携帯電話機等の各種の機器が挙げられる。
【００３５】
ＳＳＤ１３は、フラッシュメモリー素子にデータを記憶する記憶装置である。ＳＳＤ１３は、制御部２３の制御に従って各種データを不揮発的に書き換え可能に記憶する。メモリーカードＩ／Ｏ回路１４は、投射部本体１２０に設けられたメモリーカードスロット（図示略）に接続されている。メモリーカードスロット（図示略）は、例えば投射部本体１２０（図１）の背面に設けることができ、プロジェクター１００をダクト２００に取り付けた状態でカード型記憶媒体を着脱できる。メモリーカードＩ／Ｏ回路１４は、制御部２３の制御により、メモリーカードスロットに挿入されたカード型の記憶媒体（図示略）にアクセスし、この記憶媒体に記録されたデータの読み出し、及び、データの書き込みを行う。
【００３６】
制御部２３は、ＳＳＤ１３かメモリーカードＩ／Ｏ回路１４により画像データを読み出して、読み出した画像データに基づく画像を投射することができる。また、制御部２３は、無線ＬＡＮアダプター１２により外部の機器から画像データを受信し、受信した画像データに基づく画像を投射することができる。さらに、制御部２３は、無線ＬＡＮアダプター１２により外部の機器から受信した画像データを、ＳＳＤ１３に記憶させてもよいし、メモリーカードＩ／Ｏ回路１４によりカード型記憶媒体に記憶させてもよい。制御部２３が処理する画像データは、静止画像データであっても、動画像（映像）データであってもよい。これらの画像データのデータフォーマット等は任意のフォーマットとすることができる。
【００３７】
制御部２３には、画像処理回路２１、ライトバルブ駆動回路２２、光源駆動回路２５、及び、ＩＲ受信回路２７が接続されている。
画像処理回路２１は、制御部２３の制御に従って、投射する画像データを読み出して解像度変換、色調補正、台形歪み補正等の各種処理を行い、処理後の画像データを、フレーム単位でライトバルブ駆動回路２２に出力する。ライトバルブ駆動回路２２は、画像処理回路２１から入力されるフレーム毎の画像データに従って、光変調装置３に対して液晶パネルを駆動する駆動信号を出力する。ライトバルブ駆動回路２２が出力する駆動信号により、光変調装置３の液晶パネルには画像が描画され、光源１が発した光が変調される。制御部２３、画像処理回路２１、および、ライトバルブ駆動回路２２が協働して、表示コントローラー４（図３）として機能する。
【００３８】
光源駆動回路２５は、制御部２３の制御に従い、光源１に駆動信号を出力して点灯させる。制御部２３および光源駆動回路２５が協働して、光源コントローラー２（図３）として機能する。
ＩＲ受信回路２７は、図示しないリモコン装置から送信される赤外線信号を受信してデコードし、リモコン装置における操作内容に対応した操作データを生成して、制御部２３に出力する。
プロジェクター１００の制御系を構成する無線ＬＡＮアダプター１２、ＳＳＤ１３、メモリーカードＩ／Ｏ回路１４、画像処理回路２１、ライトバルブ駆動回路２２、制御部２３、及びＩＲ受信回路２７の各部は、制御基板（図示略）に実装される。この制御基板は、投射部１２５を構成する各部とともに、投射部本体１２０内部のフレーム（図示略）に固定される。
【００３９】
電源回路２４は、コネクター１１５に設けられた接触導体１１７、１１７から、例えば単相２極１００Ｖ交流の電力の供給を受ける。電源回路２４は、プロジェクター１００の制御系の各部には低電圧の電源を供給する。例えば、無線ＬＡＮアダプター１２、ＳＳＤ１３、メモリーカードＩ／Ｏ回路１４、画像処理回路２１、ライトバルブ駆動回路２２、制御部２３、及びＩＲ受信回路２７に対し、５Ｖまたは３．３Ｖの直流電流を供給する。また、電源回路２４は、より高い電圧の電力を供給可能であり、例えば、光源１が備える３つのＬＥＤ、光源１を点灯させる光源駆動回路２５、及び光変調装置３の液晶パネルには、１２Ｖの直流電流を供給する。
このように、電源回路２４は、プロジェクター１００の各部に必要な電力を供給するため、交流―直流変換回路、トランスやスイッチング回路を備えた電圧変換回路等を備えている。
【００４０】
このように構成されるプロジェクター１００で、支持部材１３０は、金属等の熱伝導率の高い材料により構成される。
また、連結部１３１は、電源収容部１１０内部の金属製のフレームに、金属製のボルトや支持軸等の熱伝導率の高い部材を介して支持部材１３０を連結し、電源収容部１１０内部で発生した熱が支持部材１３０に伝わる構成とすることが好ましい。或いは、電源収容部１１０を金属製の筐体を用いて構成し、この筐体に支持部材１３０が接触し、または、金属製のボルトや支持軸等を介して支持部材１３０が連結される構成としてもよい。
この場合、電源収容部１１０に収容される電源回路２４が発する熱が支持部材１３０に伝達される。電源回路２４は、発熱量の大きいトランスやスイッチング回路等を備えているため、電源収容部１１０の発熱量は大きい。ここで、図１及び図２（Ａ）に示すように、電源収容部１１０の前面には、排熱用のスリット１１９が形成され、電源回路２４の放熱を促進している。これに加えて、外気に露出する支持部材１３０に電源収容部１１０から熱を伝え、支持部材１３０の表面で放熱させることにより、電源回路２４が発する熱を効率よく放熱できる。
【００４１】
このため、例えば、電源収容部１１０の内部に放熱ファンを設けることなく、電源回路２４が発生する熱を十分に放熱して、電源回路２４の過熱を防止し、安定してプロジェクター１００を動作させることができる。電源収容部１１０の内部に放熱用のファンを設ける構成とすることも可能であり、この場合、支持部材１３０の放熱効果があるため、放熱ファンに要求される放熱量が抑制される。このため、放熱ファンを小型化したり、放熱ファンの回転数を抑えて静音化を図ったりすることができる。
【００４２】
また、連結部１２２、１２２においても、投射部本体１２０内部において投射部１２５の各部等を支持するフレーム（図示略）に、金属製のボルトや支持軸等の熱伝導率の高い部材を介して支持部材１３０を連結する構成とすることが好ましい。或いは、投射部本体１２０を金属製の筐体を用いて構成し、この筐体に支持部材１３０が接触し、または、金属製のボルトや支持軸等を介して支持部材１３０が連結される構成としてもよい。この構成では、投射部本体１２０内部で発生した熱が支持部材１３０に伝達される。
投射部１２５の光源１や光変調装置３は、画像を投射する際に熱を発する。また、プロジェクター１００の制御基板に実装された制御系の各部においても、プロジェクター１００の動作中に熱が発生する。このため、投射部本体１２０の内部においては高い熱が発生する。この熱が支持部材１３０に伝達され、支持部材１３０の表面で放熱されることにより、投射部１２５及びプロジェクター１００の制御系から発する熱を効率よく放熱できる。
【００４３】
これにより、例えば、投射部本体１２０に放熱ファンを設けることなく、投射部１２５や制御基板の熱を十分に放熱して、これらの各部の過熱を防止し、安定してプロジェクター１００を動作させることができる。また、投射部本体１２０の内部に放熱用のファンを設ける構成とすることも可能であり、この場合、支持部材１３０の放熱効果があるため、放熱ファンに要求される放熱量が抑制される。このため、放熱ファンを小型化したり、放熱ファンの回転数を抑えて静音化を図ったりすることができる。
【００４４】
以上説明したように、本発明を適用した実施形態に係るプロジェクター１００は、電源収容部１１０と投射部本体１２０とを備える。電源収容部１１０は、ダクト２００に支持され、ダクト２００から供給される電力を変換する電源回路２４を収容し、投射部本体１２０は画像を投射する投射部１２５を収容し、画像の投射方向を調整可能に電源収容部１１０に支持される。この構成において投射方向を変更する場合には投射部本体１２０を動かせばよく、この投射部本体１２０は電源回路２４が分離されているため軽量である。また、電源回路２４は、上記のようにトランスやスイッチング回路を有する他、これらの回路から適切に放熱させるためのヒートシンク等を備えている。このため、電源回路２４は重量物となるが、この電源回路２４を投射部本体１２０から分離したため、投射方向を変更する場合に重量物である電源回路２４を動かす必要がない。
【００４５】
そして、投射部本体１２０を支持する連結部１３１及び連結部１２２、１２２は、電源回路２４を除く部分の重量を支持し、固定できるものであればよい。このように、連結部１３１及び連結部１２２、１２２の負荷が軽減され、耐荷重に関する制限が緩和されているので、連結部１３１及び連結部１２２、１２２の設計の自由度が高まる。例えば、投射部１２５の角度等を大きく変更可能な構造とすることができる。さらに、電源収容部１１０がダクト２００に支持されるので、電源収容部１１０がダクト２００から電力を得るためのケーブル等を別途設ける必要がなく、構造を簡略化でき、強固に電源収容部１１０を保持できる。従って、天井面等に強固に取り付けることが可能で、かつ、画像の投射方向を容易に、大きく調整可能なプロジェクター１００を提供できる。
【００４６】
また、電源収容部１１０は、長手形状の筐体と、筐体に立設されて樋形状のダクト２００に接続されるコネクター１１５とを有し、筐体がダクト２００の長手方向に沿う状態でコネクター１１５がダクト２００に固定される。このため、いわゆる照明器具用ダクトや電源ダクト等の樋形状のダクト２００に、電源収容部１１０を取り付けることができ、ダクト２００の長手方向においてプロジェクターの取付位置を容易に変更できる。また、電源収容部１１０の筐体がダクト２００の長手方向に沿っているため、目立たないようにプロジェクター１００を取り付けることができる。
また、プロジェクター１００は、電源収容部１１０と投射部本体１２０とに連結され、投射部本体１２０を電源収容部１１０に支持する支持部材１３０を有する。支持部材１３０は電源収容部１１０において、コネクター１１５の直下で連結部１３１により接続される。このため、コネクター１１５に加わる荷重が、ほぼ垂直方向の荷重に限られるので、コネクター１１５に加わる負荷を軽減できるので、コネクター１１５を簡易な構造とすることができる。
【００４７】
また、支持部材１３０は、電源収容部１１０及び投射部本体１２０の少なくともいずれかに対し、熱を伝達可能に、連結部１３１または連結部１２２、１２２により連結される。このため、支持部材１３０により、電源収容部１１０内部の電源回路２４が発する熱や、投射部本体１２０内部の投射部１２５等が発する熱を放熱できる。従って、プロジェクター１００における放熱性能を高めることができ、プロジェクター１００を安定して動作させることが可能な上に、冷却ファンの小型化や冷却ファンを省略することが可能になる。
【００４８】
また、投射部本体１２０に光源１が収容されるので、電源収容部１１０と投射部本体１２０とを連結する構成を簡易化でき、例えば投射部本体１２０の可動範囲を大きくすることができる。
【００４９】
ここで、電源収容部１１０に光源１を収容した構成とすることもできる。この場合、投射部１２５は、電源収容部１１０に収容された光源１と、光源１が発した光を投射部本体１２０の内部に導く光ファイバー等のライトガイド（導光手段）とを備え、このライトガイドにより導かれた光が、照射光学系５を経て光変調装置３に導かれる。この構成では、光源１を電源収容部１１０に備えることにより、投射部本体１２０をより一層軽量化することが可能となる。これにより、投射部本体１２０を支持する連結部１３１及び連結部１２２、１２２の負荷がより軽減され、設計の自由度が高められるので、投射部１２５の角度等を大きく変更可能な構造とすることができる。
【００５０】
なお、上述した実施形態は、あくまでも本発明の一態様を示すものであり、本発明の範囲内で任意に変形および応用が可能である。
上記実施形態では、電源収容部１１０と投射部本体１２０とを連結し、投射部本体１２０を支持する支持部として支持部材１３０を用いた構成について説明した。本発明はこれに限定されず、例えば、投射部本体１２０に対し一箇所で連結される部材を用いてもよい。具体的には、投射部本体１２０の上面と電源収容部１１０の底面とに、対になるジョイントを立設して、これらのジョイントを連結してもよく、より具体的にはボールジョイントやユニバーサルジョイントを用いてもよい。また、所定の軸回りに回動可能な関節状のジョイントを複数備えた支持部材を用いてもよい。また、電源収容部１１０及び投射部本体１２０の形状は箱形に限定されず、例えば投射部本体１２０を球形とすることも可能である。さらに、支持部材１３０の放熱効果を高めるため、支持部材１３０の表面に複数の放熱フィンを形成してもよい。
【００５１】
また、図４に示した各機能ブロックはハードウェアとソフトウェアとの協働により実現される機能的構成を示すものであって、具体的な実装形態は特に制限されない。従って、必ずしも各機能ブロックに対応するハードウェアが実装される必要はなく、一つのプロセッサーがプログラムを実行することで複数の機能部の機能を実現する構成とすることも勿論可能である。また、上記実施形態においてソフトウェアで実現されている機能の一部をハードウェアで実現してもよく、あるいは、ハードウェアで実現されている機能の一部をソフトウェアで実現してもよい。その他、プロジェクター１００の他の各部の具体的な細部構成についても、本発明の趣旨を逸脱しない範囲で任意に変更可能である。
【符号の説明】
【００５２】
１…光源、３…光変調装置、５…照射光学系、６…投射光学系、２３…制御部、２４…電源回路（電源部）、１００…プロジェクター、１１０…電源収容部、１１５…コネクター（接続部）、１２０…投射部本体、１２５…投射部、１３０…支持部材（支持部）、１３１…連結部、１４０…電源収容部本体、２００…ダクト（電源供給体）。
【図１】
2015022147.tif 000003
【図２】
2015022147.tif 000004
【図３】
2015022147.tif 000005
【図４】
2015022147.tif 000006